(57)【要約】【課題】既設の墓石を有効利用してごみ処理環境に貢献すると供に、地上に納骨室を設けて雨水の納骨室への浸入よる納骨室内部の結露を抑制する。【解決手段】既設の地下の納骨室５２を埋めて設置面１０を形成すると共に、設置面１０に土台石１５を枠状に敷設し、土台石１５に納骨室４０の側壁としての下台石２０を枠状に立設すると共に、納骨室４０から骨壷６，…を出し入れするための出入開口部２５を下台石２０に形成し、該出入開口部２５を石扉２７によって開閉可能に閉塞すると共に、出入開口部２５に連通する第一通気流路３０を設け、納骨室４０に連通する上側開口端３６ａと、外部に連通する下側開口端３６ｂとを有する第二通気流路３５を、第一通気流路３０の反対側に設け、下台石２０によって囲繞されて形成された上面開口部を既設の蓋石４で覆い、地上に納骨室４０を形成し、最後に、既設の墓石５を既設の蓋石４に新に立設する。【選択図】    図１
2004150237.tif 000002
【特許請求の範囲】
【請求項１】
墓地に掘穿された墓穴に納骨室を設け、該墓穴の上面開口部を蓋石によって覆うと共に、墓石を蓋石に立設してなる墓において、
前記蓋石及び前記墓石を解体して前記墓穴を埋立てた墓地に設置面が形成され、しかも、設置面には、土台石が枠状に敷設され、さらに、地上において納骨室を新に形成すべく、納骨室の側壁としての下台石が土台石に立設されると共に、骨壷を出し入れするための出入開口部が下台石の一面に形成され、該出入開口部には、出入開口部を開閉可能に閉塞する石扉と、出入開口部に連通する第一通気流路とが設けられ、下台石の別面には、納骨室に連通する上側開口端と、外部に連通する下側開口端とを有してなる第二通気流路が設けられ、加えて、下台石で囲繞されて形成された上面開口部が前記蓋石で覆われ、且つ、前記墓石が前記蓋石に新に立設されてなることを特徴とする墓。
【請求項２】
設置面は、墓穴の上面開口部を覆うように敷設された鉄筋溶接金網と、該鉄筋溶接金網を覆うように打設されたコンクリートとによって形成されてなることを特徴とする請求項１に記載の墓。
【請求項３】
前記第二通気流路は、下台石の上端部、又は、下台石と蓋石との間に形成された帯状の通気口と、該通気口の外部側及と納骨室側とに段違いに平行して設けられた二本の石棒とで形設され、納骨室側の石棒が外部側の石棒に対して斜め下方に位置してなることを特徴とする請求項１又は２に記載の墓。
【請求項４】
前記第二通気流路は、下台石の上端部、又は、下台石と蓋石との間に形成された帯状の通気口と、該通気口に設けられた略Ｓ字形状の断面を有する通気ダクトとによって形設されてなることを特徴とする請求項１又は２に記載の墓。
【請求項５】
第一通気流路及び第二通気流路の少なくとも一方には、雨水や塵埃の納骨室への浸入を防止するためのフィルタが設けられてなることを特徴とする請求項１乃至４のいずれか１項に記載の墓。
【請求項６】
墓地に掘穿された墓穴を納骨室とし、該墓穴の上面開口部を蓋石によって覆うと共に、墓石を蓋石に立設してなる墓の改築方法であって、
前記蓋石及び前記墓石を解体して前記墓穴を埋立てた墓地に設置面を形成し、つぎに、設置面に土台石を枠状に敷設し、そして、地上において納骨室を新に形成すべく、土台石に納骨室の側壁としての下台石を枠状に立設すると共に、納骨室から骨壷を出し入れするための出入開口部を下台石の一面に形成し、さらに、該出入開口部を石扉によって開閉可能に閉塞すると共に、出入開口部に連通する第一通気流路を設け、加えて、納骨室に連通する上側開口端と、外部に連通する下側開口端とを有する第二通気流路を、下台石の別面に設け、続いて、下台石によって囲繞されて形成された上面開口部を前記蓋石で覆い、最後に、前記墓石を前記蓋石に新に立設するようにしたことを特徴とする墓の改築方法。
【発明の詳細な説明】
【０００１】
【発明の属する技術分野】
本発明は、地下に納骨室が設けられた既設の墓において、地下の納骨室を埋めると共に、既設の墓石を有効利用して地上に納骨室を設けるようにした墓及びその改築方法に関する。
【０００２】
【従来の技術】
従来の墓は、例えば、図５に示すように、墓地１に掘穿された平面視略矩形状の墓穴２と、墓穴２の前後左右の壁面に沿って複数段積重されたコンクリートブロック３，…と、最上段のコンクリートブロック３，…に積重された枠状の下台石５０と、下台石５０によって囲繞されて形成された上面開口部の後側を閉塞する蓋石４と、下台石５０によって囲繞されて形成された上面開口部の前側を閉塞する石扉５１と、蓋石４に積載された墓石５と、各コンクリートブロック３，…、下台石５０、蓋石４、石扉５１で囲繞されて略密閉された地下式の納骨室５２とから構成されている。
【０００３】
納骨室５２は、後側が骨壷６，…の収納部５３となり、前側が骨壷６，…を出し入れするための通路部５４となっており、その境界部位には、コンクリートブロック３，…が積重されている。さらに、収納部５３には、骨壷６，…の載置棚５５が設けられていると共に、通路部５４には、骨壷６，…を納骨室５２から出し入れする際に、人が地下の納骨室５２に出入りし易いようにするための石階段５６が設けられている。
【０００４】
墓石５は、中台石５ａ、上台石５ｂ、竿石５ｃが順次積重された構成になっている。
【０００５】
ところで、図５に示す墓においては、古来より行われていた土葬から火葬に移行した時に多く構築されたものであり、コケや黴が墓石５の表面に付着して墓石５の外観上の見栄えが悪くなっている。さらに、納骨室５２が地下に設けられているため、納骨室５２の内部に結露が生じやすく、骨壷６，…の内部にも結露した水が溜まっている。このようなことから、新に構築される昨今の墓としては、納骨室５２を地上に設けるのが一般的である。
【０００６】
この種の墓としては、例えば、実用新案登録第３０４２９５０号に示すように、地上に設けた納骨室の側壁に、外部と納骨室とを連通させる通気穴を直線状に穿設し、通気穴の外部側の開口端にフィルタを設け、納骨室の結露と、雨水や塵埃の納骨室への侵入を防止している。
【０００７】
【発明が解決しようとする課題】
前者の墓において、墓石５の外観修復や地下の納骨室５２の結露を解消しようとする場合、一般的には、墓石５の修復を行わずに墓石５を廃棄して新に墓石を購入すると共に、地上式の納骨室を形成するための石材を購入し、地下の納骨室５２を埋めて設置面を形成し、設置面に、地上式の納骨室、墓石を順次積重している。このため、施工費用に加えて新に墓石や石材を購入することで、多大の費用が必要になる。しかも、外観上の見栄えがよくない墓石５とはいえ磨けば充分に使用可能であり、故人の遺骨を納骨した墓には、愛着があり、廃棄するには惜しまれる。さらに、近年では、ごみ処理環境の観点から資源の再利用が検討されており、墓石５を廃棄する捨て場所に困っているのが現状である。
【０００８】
後者の墓の場合、地上に納骨室を設けているので、地下式の納骨室に比して結露は少ないと考えられるが、いずれの通気穴も直線状に穿設されているため、雨水の納骨室への浸入防止が不充分であり、また、通気穴が小さく充分な通気がなされず、浸入した雨水による納骨室の内部の黴の発生や結露が懸念される。
【０００９】
そこで、本発明は上記問題点に鑑み、既設の墓石を有効利用してごみ処理環境に貢献できると供に、地上に納骨室を設けて雨水の納骨室への浸入よる納骨室内部の結露を抑制できる墓及びその改築方法を提供することを目的とする。
【００１０】
【課題を解決するための手段】
上記課題を解決するために、本発明の墓は、請求項１に示す如く、墓地に掘穿された墓穴に納骨室を設け、該墓穴の上面開口部を蓋石によって覆うと共に、墓石を蓋石に立設してなる墓において、前記蓋石及び前記墓石を解体して前記墓穴を埋立てた墓地に設置面が形成され、しかも、設置面には、土台石が枠状に敷設され、さらに、地上において納骨室を新に形成すべく、納骨室の側壁としての下台石が土台石に立設されると共に、骨壷を出し入れするための出入開口部が下台石の一面に形成され、該出入開口部には、出入開口部を開閉可能に閉塞する石扉と、出入開口部に連通する第一通気流路とが設けられ、下台石の別面には、納骨室に連通する上側開口端と、外部に連通する下側開口端とを有してなる第二通気流路が設けられ、加えて、下台石で囲繞されて形成された上面開口部が前記蓋石で覆われ、且つ、前記墓石が前記蓋石に新に立設されてなるものである。
なお、ここでいう、下台石の一面及び別面とは、墓参する際に、墓参者が墓石と対面する位置（前側）を一面とし、この面を基準として左右の両側及び後側に位置する面を別面とする。
【００１１】
したがって、墓を改築する際に発生した多量の廃棄物は、墓穴の埋立てに再利用できる一方、墓穴を廃棄物の捨て場とすることで、不足する捨て場所の問題も解消される。また、既設の墓石を再利用することで、産業廃棄物の抑制に寄与することになる。しかも、地下の納骨室を地上に設けることで、骨壷を簡単に出し入れできる。さらに、骨壷を出し入れする出入開口部を介して納骨室に連通する第一通気流路と、納骨室から外部に連通する第二通気流路とを設けることで、納骨室内部の結露を防止でき、骨壷内部の結露水をも防止できる。
【００１２】
また、第二通気流路の下側開口端から雨水や塵埃が浸入しようとしても、第二通気流路の下側開口端と上側開口端との位置関係によって、外部から下側開口端、上側開口端を通って納骨室に侵入することがなく、これらの侵入を防止できる。特に、雨水の浸入による納骨室の内部の結露が防止され、塵埃に浸入、黴の発生が防止されて納骨室の内部が清潔になり、納骨室の内部の環境が改善される。
【００１３】
また、請求項２に示す如く、墓穴の上面開口部を覆うように敷設された鉄筋溶接金網と、該鉄筋溶接金網を覆うように打設されたコンクリートとによって、設置面を形成するのが好ましい。
【００１４】
そうすれば、設置面に積重される墓石の荷重を、墓穴の上面開口部を覆うように敷設された鉄筋溶接金網と、鉄筋溶接金網を覆うように打設されたコンクリートとで受けることになるため、重量物である墓石が墓穴に落ち込むことがない。さらに、打設されたコンクリート内部に鉄筋溶接金網が敷設されることで、コンクリートだけの設置面に比して強度が確保されており、コンクリートにおけるクラックの発生を防止できる。
【００１５】
さらに、請求項３に示す如く、下台石の上端部、又は、下台石と蓋石との間に形成された帯状の通気口と、通気口の外部側と納骨室側とに段違いに平行して設けられた二本の石棒とで第二通気流路を形設し、納骨室側の石棒が外部側の石棒に対して斜め下方に位置させるのがよい。
【００１６】
この場合、通気口の下壁面と外部側の石棒の側面とで、第二通気流路の下側開口端が形成されると共に、通気口の上壁面と納骨室側の石棒の側面とで上側開口端が形成されることになり、通気口と二本の石棒とで略Ｓ字形状の流路が形設され、納骨室内部の通気性がよくなり、雨水や塵埃の納骨室への浸入が防止される。
【００１７】
加えて、請求項４に示す如く、下台石の上端部、又は、下台石と蓋石との間に形成された帯状の通気口と、該通気口に設けられた略Ｓ字形状の断面を有する通気ダクトとによって第二通気流路を形設するのが望ましい。
【００１８】
この場合、略Ｓ字形状の断面を有する通気ダクトによって簡単に第二通気流路を形成できることになり、上記と同様の作用を奏する。
【００１９】
そして、請求項５に示す如く、雨水や塵埃の納骨室への浸入を防止するためのフィルタを、第一通気流路及び第二通気流路の少なくとも一方に設けた方がよい。
【００２０】
そうすれば、フィルタによって雨水や塵埃の納骨室への浸入が防止されることになり、納骨室の環境がより一層改善される。
【００２１】
また、請求項６に示す如く、墓地に掘穿された墓穴に納骨室を設け、該墓穴の上面開口部を蓋石によって覆うと共に、墓石を蓋石に立設してなる墓の改築方法であって、前記蓋石及び前記墓石を解体して前記墓穴を埋立てた墓地に設置面を形成し、つぎに、設置面に土台石を枠状に敷設し、そして、地上において納骨室を新に形成すべく、土台石に納骨室の側壁としての下台石を枠状に立設すると共に、納骨室から骨壷を出し入れするための出入開口部を下台石の一面に形成し、さらに、該出入開口部を石扉によって開閉可能に閉塞すると共に、出入開口部に連通する第一通気流路を設け、加えて、納骨室に連通する上側開口端と、外部に連通する下側開口端とを有する第二通気流路を、下台石の別面に設け、続いて、下台石によって囲繞されて形成された上面開口部を前記蓋石で覆い、最後に、前記墓石を前記蓋石に新に立設するようにしたものである。
【００２２】
したがって、既設の墓石を有効利用できると共に、地下式の納骨室を地上に簡単に移転でき、しかも、安価に墓を改築できる。
【００２３】
【発明の実施の形態】
本発明の一実施形態につき、図１乃至図３を参照して説明する。
本発明の墓は、墓地１に掘穿された墓穴２に納骨室５２を設け、該墓穴２の上面開口部を蓋石４によって覆うと共に、墓石５（中台石５ａ、上台石５ｂ、竿石５ｃを含む）を蓋石４に立設してなる墓を改築したものであり、前記蓋石４及び前記墓石５を解体して前記墓穴２を埋立てた墓地２に形成された設置面１０と、設置面１０に枠状に敷設された土台石１５と、土台石１５に立設された地上式納骨室４０の側壁としての下台石２０と、下台石２０に形成された骨壷６，…を出し入れするための出入開口部２５と、該出入開口部２５を開閉可能に閉塞する石扉２７と、出入開口部２５に連通する第一通気流路３０と、出入開口部２５の反対側に設けられた第二通気流路３５とを備え、下台石２０で囲繞されて形成された上面開口部が前記蓋石４で覆われ、前記墓石５が前記蓋石４に新に立設されている。
【００２４】
設置面１０は、地面に掘穿された墓穴２の矩形状の上面開口部を覆うように敷設された鉄筋溶接金網１１と、鉄筋溶接金網１１上に打設されたコンクリート１２とによって形成されている。鉄筋溶接金網１１は、直径が６ｍｍの鉄筋によって格子状に骨組みされ、１０ｃｍ×１０ｃｍの網目を複数有している。そして、鉄筋溶接金網１１の敷設によって、重量物である土台石１５、下台石２０、蓋石４、墓石５などが設置面１０に積重されても落ち込むことがなく、コンクリート１２のクラックの発生をもなくすことができる。
【００２５】
土台石１５は、前面に開口部を形成すべく略コ字形状に敷設された側壁部１６と、側壁部１６の前面開口部を閉塞すべく敷設された平板形状の前壁部１７とを有している。この前壁部１７は、側壁部１６の前面開口部から前方に突出するように敷設され、側壁部１６と前壁部１７とで囲繞されて形成された上面開口部は略矩形状を呈している。さらに、前壁部１７の直前には、拝石１８が敷設されており、側壁部１７よりも拝石１８が一段低くなって階段状になっている。
【００２６】
下台石２０は、土台石１５の側壁部１６に沿って立設された下壁部２１と、該下壁部２１の左右の両側にそれぞれ配設された二つのコ字形状の上壁部２２とを備えており、下壁部２１と上壁部２２とで納骨室４０の側壁を形成している。この場合、下壁部２１は、上壁部２２に比して略２倍の高さを有しており、納骨室４０の側壁の大部分が下壁部２１によって形成されている。さらに、下壁部２１の前壁の略中央部には、前面開口部２１ａが形成されている。加えて、上壁部２２は、コ字形状に折り曲げられた両端部が対向するように配設され、前面側及び背面側にそれぞれ開口部が形成されている。この前面開口部が第一通気流路３０の通気口２３として、背面開口部が第二通気流路３５の通気口２４としての役目を担っている。
【００２７】
しかも、下台石２０の上壁部２２の前面開口部（第一通気流路３０の通気口２３）は、下壁部２１の前面開口部２１ａに比して横寸法が大きく、縦寸法が小さく開口し、下壁部２１の前面開口部２１ａと、上壁部２２の前面開口部（第一通気流路３０の通気口２３）とで下台石２０の出入開口部２５を形成している。但し、下台石２０を、下壁部２１と上壁部２２との二段構造にする必要はなく、骨壷６，…を収納できる高さを確保できるのであれば一段構造であってもよい。
【００２８】
石扉２７は、左右の両側面が台形状を呈し、前面が前方に向かって下降傾斜した傾斜面となっている。石扉２７の水平な底面が土台石１５の前壁部１７の上面に載置され、底面に対して直立した背面が、下台石２０の出入開口部２５の上端部を除いて閉塞している。
【００２９】
したがって、下台石２０の出入開口部２５の上端部が開放されていることから、下台石２０の上面開口部を閉塞する蓋石４と石扉２７との間には、下台石２０の上壁部２２の通気口２３に連通する空隙２３ａが形成されることになる。この空隙２３ａを含めて第一通気流路３０とする。さらに、下台石２０の出入開口部２５の上端部（空隙２３ａ）には、雨水や塵埃の納骨室４０への浸入を防止するための帯状のフィルタ３１が張設されている。
【００３０】
第二通気流路３５は、下台石２０の上壁部２２の背面開口部、即ち第二通気流路３５の通気口２４に設けられた通気ダクト３６と、通気ダクト３６を支持する二本の石棒３７，３７とによって構成されている。
【００３１】
通気ダクト３６は、断面が略Ｓ字形状を呈しており、納骨室４０に連通する上側開口端３６ａを有する水平方向の上通気路と、外部に連通する水平方向の下側開口端３６ｂを有する下通気路と、上通気路と下通気路とを連結する上下方向の連結通気路とから構成されている。さらに、通気ダクト３６の上側開口端３６ａ及び下側開口端３６ｂの断面形状は、細長い帯状（横長の矩形状）を呈している。
【００３２】
さらに、通気ダクト３６には、雨水や塵埃の納骨室４０への浸入を防止するためのフィルタ３８が通気流路に設けられている。このフィルタ３８は、シート状のものが略円筒状に捲回されており、横方向にして通気ダクト３６の壁面に密接するように挿入されている。
【００３３】
石棒３７，３７は、断面角形状を呈し、第二通気流路３５の通気口２４の納骨室４０側と外部側とに段違いに平行して設けられ、納骨室４０側の石棒３７が外部側の石棒３７に対して斜め下方に位置している。そして、通気ダクト３６の逆Ｌ字形状の凹部にそれぞれ石棒３７，３７の角部が当接し、通気ダクト３６の上側開口端３６ａが納骨室４０に連通するように、下側開口端３６ｂが外部に連通するように支持されている。
【００３４】
この場合、通気ダクト３６と二本の石棒３７，３７との組み合わせによって角柱体が形成されることになり、蓋石４及び墓石５の荷重が角柱体の面によって支持されることになり、支持強度が確保される。
【００３５】
そして、蓋石４によって、下台石２０の上面開口部が覆われることで、略密閉された納骨室４０が形成されることになる。納骨室４０には、骨壷６，…を載置する載置棚４１が敷設されている。
【００３６】
つぎに墓の改築方法について説明する。まず、墓穴２に設けられた地下式の納骨室５２に土砂を入れて納骨室５２を埋め、納骨室５２の上面開口部に相当する部位を覆うように、鉄筋溶接金網１１を敷設し、鉄筋溶接金網１１を覆うようにコンクリート１２を打設して設置面１０を形成する。
【００３７】
つぎに、設置面１０に土台石１５を枠状に敷設すると共に、納骨室４０の側壁としての下台石２０の下壁部２１を土台石１５に沿って立設する。さらに、下台石２０の下壁部２１に上壁部２２を敷設し、前面側に第一通気流路３０の通気口２３を形成すると共に、背面側に第二通気流路３５の通気口２４を形成する。
【００３８】
その後、下台石２０の出入開口部２５を覆うようにフィルタ３１を張設し、下壁部２１の前面開口部を石扉２６で閉塞して第一通気流路３０を形成する一方、第二通気流路３５の通気口２４に二本の石棒３７，３７を架設し、フィルタ３８の内挿された通気ダクト３６を両石棒３７，３７で支持し、第二通気流路３５を形成する。
【００３９】
続いて、下台石２０によって囲繞されて形成された上面開口部を、納骨室４０の天井壁としての蓋石４で覆い、略密閉された地上式の納骨室４０を形成し、骨壷６，…の載置棚４１を敷設する。最後に、蓋石４に墓石５、即ち中台石５ａ、上台石５ｂ、竿石５ｃを順次積重して墓を完成させる。下台石２０と蓋石４、蓋石４と中台石５ａ、中台石５ａと上台石５ｂ、上台石５ｂと竿石５ｃとの接合部は、接着剤によって固着されている。特に、土台石１５と下台石２０の接合部、下台石２０と蓋石４の接合部は、シリコーンシーラントによってシールされている。
【００４０】
なお、前記実施形態の場合、一枚の石扉２７によって納骨室４０の出入開口部２５が開閉可能となるようにしたが、二枚の石扉２７，２７によって開閉するようにしてもよい。この場合、二つの石扉２７，２７が互いに離間及び接合する方向に移動させる、あるいは、観音開きにしてもよい。また、石扉２７の形状は、平板形状であってもよく、形状は限定しない。
【００４１】
さらに、骨壷６，…を出し入れする納骨室４０の出入開口部２５は、前面に限定されるものではなく、背面、左側面、右側面のいずれであってもよい。要するに、納骨室４０の出入開口部２５としては、墓参者が骨壷６，…を出し入れしやすく、しかも、納骨室４０の出入開口部２５に連通する第一通気流路３０が形成可能であると共に、その反対側に第二通気流路３５が形成できる位置関係であれば、納骨室４０の出入開口部２５の位置や個数は限定しない。したがって、第一通気流路３０及び第二通気流路３５の位置や個数も納骨室４０の出入開口部２５に準じて図示に限定されるものではない。
【００４２】
加えて、前記実施形態の場合、断面が略Ｓ字形状の通気ダクト３６を、下台石２０の上壁部２２に形成された通気口２４に設けて第二通気流路３５を形設したが、要するに、外部からの雨水や塵埃の浸入を防止でき、納骨室４０に連通する上側開口端３６ａと、外部に連通する下側開口端３６ｂとを有しておればよい。例えば、図４に示すように、二つの直方体形状又は立方体形状の石材を段違いに接合して形成された石ブロック４２，４２を第二通気流路３５の通気口２４に並設し、この階段状の石ブロック４２，４２の水平面と垂直面とで形成される凹部に、前記石材と略同一形状の断面を有する角石棒３７，３７をそれぞれ架設し、第二通気流路３５を形設するようにしてもよい。この場合、通気ダクト３６が不要になることで、第二通気流路３５を安価に形設できる。さらに、石ブロック４２，４２と二本の角石棒３７，３７とが接合されて形成される側面は、正方形又は長方形を呈しており、蓋石４及び墓石５の荷重に対する支持強度が確保されることになる。また、石棒３７，３７のみを第二通気流路３５の通気口２４に直接架設するようにしてもよい。
【００４３】
【発明の効果】
以上説明したように、本発明の墓は、地下の納骨室の上面開口部を覆う既設の蓋石、及び、該蓋石に立設された墓石を解体して、納骨室が設けられた墓穴を埋立てた墓地に設置面を形成し、土台石を設置面に枠状に敷設し、納骨室の側壁としての下台石を土台石に立設すると共に、骨壷を出し入れするための出入開口部を下台石の一面に形成し、石扉によって出入開口部を開閉可能に閉塞するようにしたため、既設の蓋石や墓石が有効に活用できると共に、地下の納骨室を地上において容易に且つ安価に形成できる効果があり、地球環境保全の問題に寄与できる。
【００４４】
さらに、出入開口部に連通する第一通気流路とを設けると共に、納骨室に連通する上側開口端と、外部に連通する下側開口端とを有してなる第二通気流路を、下台石の別面に設け、下台石で囲繞されて形成された上面開口部を既設の蓋石で覆い、且つ、既設の墓石を既設の蓋石に新に立設するようにしたため、納骨室内部の結露を有効に防止でき、骨壷内部の結露水をも効果的に防止できる。
【００４５】
また、墓穴の上面開口部を覆うように敷設された鉄筋溶接金網と、鉄筋溶接金網を覆うように打設されたコンクリートとによって、設置面を形成することで、安定した状態で、墓石を設置面に積重できる。
【００４６】
さらに、雨水や塵埃の納骨室への浸入を防止するためのフィルタを、第一通気流路及び第二通気流路の少なくとも一方に設けたので、雨水や塵埃の納骨室への浸入が防止されることになり、納骨室の環境改善が有効に行われる。
【図面の簡単な説明】
【図１】本発明の墓の側断面図である。
【図２】図１の納骨室の部位の斜視図である。
【図３】図１の納骨室の第二通気流路の一部破断斜視図である。
【図４】第二通気流路の他の形態を示した斜視図である。
【図５】従来例の側断面図である。
【符号の説明】
１  墓地
２  墓穴
３  コンクリートブロック
４  蓋石
５  墓石
５ａ  中石台
５ｂ  上石台
５ｃ  竿石
６  骨壷
１０  設置面
１１鉄筋溶接金網
１２  コンクリート
１５  土台石
１６  側壁部
１７  前壁部
１８  拝石
２０、５０  下台石
２１  下壁部
２１ａ  前面開口部
２２  上壁部
２３、２４  通気口
２３ａ  空隙
２５  出入開口部
２７、５１  石扉
３０  第一通気流路
３１、３８  フィルタ
３５  第二通気流路
３６  通気ダクト
３６ａ  上側開口端
３６ｂ  下側開口端
３７  石棒
４０、５２  納骨室
４１、５５  載置棚
４２  石ブロック
５３  収納部
５４  通路部
５６  石階段
【図１】
2004150237.tif 000003
【図２】
2004150237.tif 000004
【図３】
2004150237.tif 000005
【図４】
2004150237.tif 000006
【図５】
2004150237.tif 000007